(57)【要約】【課題】簡単な方法で電極の劣化度を定量的に算出可能な海水電解装置の電極の劣化度測定方法、電極の使用限度算出方法、並びに簡単な構成からなる電極の劣化度測定装置、及び電極の使用限度算出装置を提供する。【解決手段】海水電解装置１０の電極２２、２３に所定の電圧を加え、その時の電極２２、２３を流れる電流値を測定し、電極２２、２３の電圧電流特性データを求め、該電極２２、２３の電圧電流特性データと予め定める該電極２２、２３の電圧電流特性データとから電極の劣化度を測定する。【選択図】図４
2006249463.tif 000002
【特許請求の範囲】
【請求項１】
海水を電気分解する海水電解装置の電極の劣化度を算出する方法であって、
該海水電解装置の電極に所定の電圧を加え、その時の電極を流れる電流値を測定し、電極の電圧電流特性データを求め、該電極の電圧電流特性データと予め定める該電極の電圧電流特性データとから電極の劣化度を測定することを特徴とする海水電解装置の電極の劣化度測定方法。
【請求項２】
前記電極に所定の電圧を加え、その時の電極を流れる電流値の測定を、前記海水電解装置の運転中に行うことを特徴とする請求項１に記載の海水電解装置の電極の劣化度測定方法。
【請求項３】
海水を電気分解する海水電解装置の電極の使用限度を算出する方法であって、
予め定める間隔毎に該海水電解装置の電極に所定の電圧を加え、その時の電極を流れる電流値を測定し、電極の電圧電流特性データを求め、該電極の電圧電流特性データの経時変化から電極の使用限度を算出することを特徴とする海水電解装置の電極の使用限度算出方法。
【請求項４】
海水を電気分解する海水電解装置の電極の劣化度を測定する海水電解装置の電極劣化度測定装置であって、
該海水電解装置の電極に所定の電圧を印加可能な電源供給手段と、
該電源供給手段が該電極に所定の電圧を加えたときの該電極を流れる電流値を測定する電流値測定手段と、
該電極に加わる電圧データ及び該電流値測定手段が測定する電流値データから電極の電圧電流特性データを算出し、算出した電極の電圧電流特性データと予め定める電極の電圧電流特性データとから電極の劣化度を算出する演算手段と、
を含むことを特徴とする海水電解装置の電極の劣化度測定装置。
【請求項５】
海水を電気分解する海水電解装置の電極の使用限度を算出する海水電解装置の電極使用限度算出装置であって、
該海水電解装置の電極に所定の電圧を印加可能な電源供給手段と、
該電源供給手段が該電極に所定の電圧を加えたときの該電極を流れる電流値を測定する電流値測定手段と、
該電極に加わる電圧データ及び該電流値測定手段が測定する電流値データを記憶する記憶手段と、
該記憶手段が記憶する電極の電圧データ及び電流値データから電極の電圧電流特性データを算出し、電極の電圧電流特性データの経時変化から電極の使用限度を算出する演算手段と、
を含むことを特徴とする海水電解装置の電極使用限度算出装置。
【発明の詳細な説明】
【技術分野】
【０００１】
本発明は、海水を電解して次亜塩素酸ソーダを生成させる海水電解装置の電極の劣化度測定方法及び劣化度測定装置、並びに海水電解装置の電極の使用限度算出方法及び使用限度算出装置に関する。
【背景技術】
【０００２】
発電所では蒸気を冷却する復水器に海水が使用されている。取水した海水をそのまま使用すると、配管内に微生物などが付着するので、これらを防止する目的で海水に次亜塩素酸ソーダを注入し使用される。海水に注入する次亜塩素酸ソーダは、海水を電気分解することでも得ることができる。海水を電気分解すると、陽極に塩素、陰極に水酸化ナトリウムが生成しこれらが反応することで次亜塩素酸ソーダが生成する。当発電所においても海水を電気分解することで次亜塩素酸ソーダを得ている。
【０００３】
海水を電気分解する海水電解装置を長期間稼動させると、陰極にスケールが付着する。スケールは海水に含まれるカルシウムやマグネシウムが、海水分解時に陰極側に発生する水酸化イオンと反応して生成する水酸化物である。スケールの付着は電解装置の性能低下につながるため、一年に一回程度の割合で酸を用いた洗浄を行い、スケールの除去が行われる。
【０００４】
図７は当発電所で使用されている海水電解システムの概略的なフローを示す図である。海水電解ポンプ１で海水を汲み上げ、フィルタ２で固形分を除去した後、電解液受液槽３に海水を送水する。電解液受液槽３にはリサイクルポンプ４が設けられ、リサイクルポンプ４で定量的に電解液受液槽３の液を海水電解装置５へ送水する。海水電解装置５は、内部に電極を備える海水電解槽本体６と、電極に電源を供給する電源供給装置７とを含み構成され、ここで海水が電気分解され、次亜塩素酸ソーダが生成する。
【０００５】
海水電解装置５で電気分解され次亜塩素酸ソーダを含んだ海水は、再度電解液受液槽３に返送される。以上のように本海水電解システムは、電解液受液槽３と海水電解装置５との間を、次亜塩素酸ソーダを含む海水を循環させながら海水の電気分解を行っている。次亜塩素酸ソーダを含んだ海水の一部は、取出され水路へ送水される。また、海水電解槽本体６の下部管路には、洗浄液供給管路及び工業用水供給管路が配設され、これらを通じて洗浄液、工業用水が供給される。
【０００６】
海水電解装置の陽極の電極には、チタンのような耐食性を有する基材に、白金などを被覆したものを使用することで、耐久性を確保している。しかしながら酸による洗浄を繰り返しながら長期間海水電解装置を使用すると、塩素の発生量が低下したり、基材表面に被覆した被膜が剥離、消耗する場合がある。これは酸による洗浄時に陽極材が陰極材と電池を形成し、陽極材が卑な電位環境下にさらされることが主原因との指摘もある（例えば特許文献１参照）。
【０００７】
基材表面に被覆した被膜が剥離又は消耗すると、基材自身が損傷するので、海水電解槽本体を定期的に分解し、被膜の剥離など電極の点検が行われている。所定量以上の被膜の剥離が認められた場合には、基材表面に再度被膜を被覆して使用される。
【特許文献１】特開平８−１７０１８７号公報
【発明の開示】
【発明が解決しようとする課題】
【０００８】
以上のように、海水電解装置の電極の管理、特に陽極の管理は、定期的に海水電解装置を分解し、電極を目視観察し、基材表面に被覆された被膜の剥離状況を確認することで行われているので、劣化度を明確に把握することができない。また目視観察では、電極の劣化度（皮膜の剥離）を定量的に把握することができないので、基材表面に再度被膜を被覆する時期、つまり現在の電極の使用限度を予測することができない。また海水電解装置の電極の被膜の剥離等を定量的に計測して電極の管理を行う手法は、先行技術文献などにも開示されていない。
【０００９】
本発明の目的は、簡単な方法で電極の劣化度を定量的に算出可能な海水電解装置の電極の劣化度測定方法、電極の使用限度算出方法、並びに簡単な構成からなる電極の劣化度測定装置及び電極の使用限度算出装置を提供することにある。
【課題を解決するための手段】
【００１０】
本発明は、海水を電気分解する海水電解装置の電極の劣化度を算出する方法であって、
該海水電解装置の電極に所定の電圧を加え、その時の電極を流れる電流値を測定し、電極の電圧電流特性データを求め、該電極の電圧電流特性データと予め定める該電極の電圧電流特性データとから電極の劣化度を測定することを特徴とする海水電解装置の電極の劣化度測定方法である。
【００１１】
また本発明は、前記電極に所定の電圧を加え、その時の電極を流れる電流値の測定を、前記海水電解装置の運転中に行うことを特徴とする請求項１に記載の海水電解装置の電極の劣化度測定方法である。
【００１２】
また本発明は、海水を電気分解する海水電解装置の電極の使用限度を算出する方法であって、
予め定める間隔毎に該海水電解装置の電極に所定の電圧を加え、その時の電極を流れる電流値を測定し、電極の電圧電流特性データを求め、該電極の電圧電流特性データの経時変化から電極の使用限度を算出することを特徴とする海水電解装置の電極の使用限度算出方法である。
【００１３】
また本発明は、海水を電気分解する海水電解装置の電極の劣化度を測定する海水電解装置の電極劣化度測定装置であって、
該海水電解装置の電極に所定の電圧を印加可能な電源供給手段と、
該電源供給手段が該電極に所定の電圧を加えたときの該電極を流れる電流値を測定する電流値測定手段と、
該電極に加わる電圧データ及び該電流値測定手段が測定する電流値データから電極の電圧電流特性データを算出し、算出した電極の電圧電流特性データと予め定める電極の電圧電流特性データとから電極の劣化度を算出する演算手段と、
を含むことを特徴とする海水電解装置の電極の劣化度測定装置である。
【００１４】
また本発明は、海水を電気分解する海水電解装置の電極の使用限度を算出する海水電解装置の電極使用限度算出装置であって、
該海水電解装置の電極に所定の電圧を印加可能な電源供給手段と、
該電源供給手段が該電極に所定の電圧を加えたときの該電極を流れる電流値を測定する電流値測定手段と、
該電極に加わる電圧データ及び該電流値測定手段が測定する電流値データを記憶する記憶手段と、
該記憶手段が記憶する電極の電圧データ及び電流値データから電極の電圧電流特性データを算出し、電極の電圧電流特性データの経時変化から電極の使用限度を算出する演算手段と、
を含むことを特徴とする海水電解装置の電極使用限度算出装置である。
【発明の効果】
【００１５】
本発明は、海水電解装置の電極に所定の電圧を加え、その時の電極を流れる電流値を測定し、電極の電圧電流特性データを求め、電極の電圧電流特性データと予め定める電極の電圧電流特性データとから電極の劣化度を測定するので、海水電解装置の電極の劣化度を簡単に、また定量的に測定することができる。
【００１６】
また本発明によれば、電極に所定の電圧を加え、その時の電極を流れる電流値の測定を、海水電解装置の運転中に行うので、簡単に電極の劣化度を測定することができる。海水電解装置の運転中に、電極の電圧電流特性データを算出するための電圧、電流値を測定しても、これら測定は短時間に終了するので、プロセスにほとんど影響を与えることがない。
【００１７】
また本発明によれば、予め定める間隔毎に海水電解装置の電極に所定の電圧を加え、その時の電極を流れる電流値を測定し、電極の電圧電流特性データを求め、電極の電圧電流特性データの経時変化から電極の使用限度を算出するので、電極の使用限度を定量的にまた簡単に算出することができる。
【００１８】
また本発明の海水電解装置の電極劣化度測定装置は、海水電解装置の電極に所定の電圧を印加可能な電源供給手段と、電源供給手段が電極に所定の電圧を加えたときの電極を流れる電流値を測定する電流値測定手段と、電極に加わる電圧データ及び電流値測定手段が測定する電流値データから電極の電圧電流特性データを算出し、算出した電極の電圧電流特性データと予め定める電極の電圧電流特性データとから電極の劣化度を算出する演算手段と、を含み構成されるので、本装置を用いて海水電解装置の電極劣化度を測定することができる。また本海水電解装置の電極劣化度測定装置は、構成が簡単であり安価に装置を製造することができる。
【００１９】
また本発明の海水電解装置の電極使用限度算出装置は、海水電解装置の電極に所定の電圧を印加可能な電源供給手段と、電源供給手段が電極に所定の電圧を加えたときの電極を流れる電流値を測定する電流値測定手段と、電極に加わる電圧データ及び電流値測定手段が測定する電流値データを記憶する記憶手段と、記憶手段が記憶する電極の電圧データ及び電流値データから電極の電圧電流特性データを算出し、電極の電圧電流特性データの経時変化から電極の使用限度を算出する演算手段と、を含み構成されるので、本装置を用いて海水電解装置の電極使用限度を算出することができる。また本海水電解装置の電極使用限度算出装置は、構成が簡単であり安価に装置を製造することができる。
【発明を実施するための最良の形態】
【００２０】
図１は本発明の実施の一形態としての海水電解装置１０の概略的構成を示す図である。図１に示す海水電解装置１０は、海水電解システムの一部であり、実際の海水電解システムでは、複数個の海水電解装置で構成される。海水電解装置１０は、海水を電気分解する複数の電解槽２０ａ、２０ｂ、２０ｃ、２０ｄ、２０ｅ、２０ｆと電解槽２０に電源を供給する電源供給装置６０及びデータ処理装置７０を含み構成される。ここで電解槽２０ａ、２０ｂ、２０ｃ、２０ｄ、２０ｅ、２０ｆは同一の形状、構造を有する。
【００２１】
図２は図１の海水電解装置１０を構成する一の電解槽２０ａの分解図である。また図３は、図１の海水電解装置１０を構成する一の電解槽２０ａの組立図である。電解槽２０ａは、上下に管接続部を有し、内部に電極を受入れ可能な空間部を有する電解槽本体２１、電源供給装置６０から電源の供給を受けて海水を電気分解する電極２２、２３、電解槽本体２１に電極２２、２３を組み付ける際に海水の漏洩を防ぐ役目を果たすパッキン２４、２５、及び電極２２、２３に電気を供給する銅帯体２６、２７を含み構成される。またパッキン２４、２５は電極２２と２３の電気的絶縁を確保する。電極２２、２３にうち、電極２２が陽極、電極２３が陰極である。
【００２２】
陽極２２は、縦長の平板３０及び６枚の縦長の平板３１（３１ａ、３１ｂ、３１ｃ、３１ｄ、３１ｅ、３１ｆ）で構成され、平面視において平板３０に対して略直角に６枚の平板３１が一定の間隔で固着されている。平板３０及び平板３１は、基材にチタンを使用し基材表面に貴金属がコーティングされている。陰極２３は縦長の平板３２、７枚の縦長の平板３３（３３ａ、３３ｂ、３３ｃ、３３ｄ、３３ｅ、３３ｆ、３３ｇ）及び中央に開口部を有する平板３４で構成される。平面視において平板３２に対して略直角に７枚の平板３３（３３ａ〜３３ｇ）の一辺が一定の間隔で固着され、平板３３ａ及び平板３３ｇの他辺が、平板３４と固着されている。陰極はステンレス鋼である。
【００２３】
電解槽を組み立てると、陰極の７枚の平板３３（３３ａ〜３３ｇ）の各々の間に、陽極の６枚の平板３１（３１ａ〜３１ｆ）各々が入り込む構造となっている。電解槽本体２１に陰極２３をパッキン２４を介して挿入し、さらにパッキン２５を介して陽極２２を電解槽本体２１に挿入し、陽極２２の平板３０に電気を供給する陽極銅帯体２６を当接し、電解槽２１本体、パッキン２４、陰極２３、パッキン２５、陽極２２及び陽極銅帯体２６を一体にボルトで固定することで電解槽２０を組み立てることができる。陰極２３に電気を供給する陰極銅帯体２７は、陰極２３の平板３４にボルトで固着される。
【００２４】
海水電解装置１０の電解槽２０は、電解槽２０ａ、２０ｂ、２０ｃが一つの系統を構成し、電解槽２０ｄ、２０ｅ、２０ｆがもう一つの系統を構成する。電解槽２０ａ、２０ｂ及び２０ｃで構成される系統には、電解槽２０ａの底部に連結された管路４０ａから海水が供給される。供給された海水は、電解槽２０ａで一部が電気分解され、電解槽２０ａの上部と電解槽２０ｂの下部とを連結する管路４０ｂを通じて電解槽２０ｂに送られる。電解槽２０ｂにおいても電解槽２０ａと同様に海水の一部を電気分解する。電解槽２０ｃも電解槽２０ｂの上部と電解槽２０ｃの下部とを連結する管路４０ｃを通じて電解液を含む海水を受入れ、電解槽２０ｃで海水の一部を電気分解する。電解槽２０ｃで電気分解され生成した電解液は、未分解の海水とともに管路４１を通じて、図示を省略した電解液受液槽へ送られる。
【００２５】
以上のように海水は、電解槽２０ａ、２０ｂ及び２０ｃの順に直列に送水され、各電解槽で電気分解される。電解槽２０ｄ、２０ｅ、２０ｆが形成するもう一つの系統の電解槽の同様であり、電解槽２０ｄ、２０ｅ、２０ｆは、管路４０ｄ、４０ｅ、４０ｆを介して海水を受入れ電気分解し、管路４２を通じて電解液及び未分解の海水を排出する。
【００２６】
また各系列の電解槽の下部には、洗浄液を供給、排出するための管路４３、４４が配設されている。電解槽２０ａ、２０ｂ、２０ｃで構成される系統には、管路４３が設けられている。管路４３には入口出口部に各々弁４５、４６が設けられるともに、管路途中に分岐管を有し分岐管には弁４７ａ、４７ｂ、４７ｃが装着されている。弁４７ａ、４７ｂ、４７ｃは、各々一端を管路４０ａ、４０ｂ、４０ｃと連結する。これらを通じて電解槽２０ａ、２０ｂ、２０ｃに洗浄液として酸を送液することで電解槽２０ａ、２０ｂ、２０ｃを洗浄することができる。
【００２７】
同様に電解槽２０ｄ、２０ｅ、２０ｆで構成される系統には、管路４４が設けられている。管路４４には入口出口部に各々弁４８、４９が設けられるともに、管路途中に分岐管を有し分岐管には弁４７ｄ、４７ｅ、４７ｆが装着されている。弁４７ｄ、４７ｅ、４７ｆは、各々一端を管路４０ｄ、４０ｅ、４０ｆと連結する。これらを通じて電解槽２０ｄ、２０ｅ、２０ｆに洗浄液として酸を送液することで電解槽２０ｄ、２０ｅ、２０ｆを洗浄することができる。
【００２８】
電解槽２０の電極２２、２３には、電源供給装置６０を通じて所定量の電気が送られる。電源供給装置６０は、図示を省略した出力電圧を可変可能な出力電圧可変装置、電圧測定器６１及び電流測定器６２を有する。本海水電解装置１０では、電解槽２０ａ〜２０ｆの各電解槽の電源系統は直列に接続され、電源供給装置６０から一体的に電気が送電される。
【００２９】
データ処理装置７０は、データを記憶するデータ記憶部７１とデータ処理部７２とを含み構成される。データ記憶部７１は、図示を省略したデータ入力部を通じて、電源供給装置６０から電極２２、２３に加わる電圧データ及び電流データを受け取り記憶する。データ処理部７２は、データ記憶部７１のデータを用いて演算を行う。データ処理装置７０としては、コンピュータを用いることができる。
【００３０】
以上のような構成を有する海水電解装置１０は、定期的に酸による電極の洗浄操作を繰り返しながら、長期間連続的に稼動する。長期間の運転に伴い電極、特に陽極が劣化、消耗するので、従来は劣化度を目視観察で判断していたことはすでに記載した通りである。本発明では、電解槽の電極の劣化度を、電極の電圧電流特性データを測定することによって把握する。具体的には次の要領で行う。
【００３１】
電源供給装置６０を通じて、電解槽２０ａ〜電解槽２０ｆに所定の電圧を加え、そのときの電圧、電流を電源供給装置６０の電圧測定器６１、電流測定器６２で測定する。電解槽２０ａ〜電解槽２０ｆに加える電圧は、１点の値であってもよいが、精度向上の点から数点変化させ、その時の電流値を測定することが望ましい。これら電極の電圧及び電流値の測定は、海水電解装置１０を保守点検する際に行うことができることは当然であるが、通常の運転時においても行うことができる。電極の電圧及び電流値の測定に要する時間は非常に短いので、通常の運転時に電極に加える電圧を変化させ電流値を測定しても、海水電解プロセスに影響を与えることはほとんどない。
【００３２】
測定した電極２２、２３の電圧及び電流値を用いて、以下の要領で電極の劣化度を算出する。電極２２、２３の電圧及び電流の実測データは、電源供給装置６０からデータ処理装置７０へ送られ、データ記憶部７１に記憶される。データ処理部７２は、データ記憶部７１に記憶した電圧、電流の実測データを用いて、電極の電圧電流特性データを算出する。この電極の電圧電流特性データと、予め定めた電極の電圧電流特性データと、を比較し電極の劣化度を測定する。このようにデータ処理部７２は、電極の劣化度を算出する演算手段として機能する。
【００３３】
ここで電圧電流特性データを算出するには、必ずしも数点の電圧、電流データが必要ではなく、一点の電圧、電流データから電圧電流特性データを算出することも、もちろん可能である。一点の電圧、電流データからなる場合にあっては、電流値を測定することが電圧電流特性データを算出することになると言える。精度を高めるためには、数点の電圧、電流データを用いて、電圧と電流値の関係つまり電極の電圧電流特性データを算出ことが望ましい。
【００３４】
電極の使用限度の算出は次の手順で行う。所定の間隔、例えば１年毎に、電極の電圧及び電流データを測定し、この実測データをデータ処理装置７０のデータ記憶部７１に記憶させる。データ処理部７２は、データ記憶部７１に記憶した実測データを用いて、電極の電圧電流特性データを算出する。この電圧電流特性データの算出は、データ記憶部７１に記憶させている数回分のデータについて行う。これら電圧電流特性データから、データ処理部７２で電極の劣化度の経時変化を算出し、電極の使用限度を算出する。このようにデータ処理部７２は、電極の使用限度を算出する演算手段として機能する。
【００３５】
電極の使用限度の算出においても、上記の電極の劣化度と同様、一点の電圧、電流値から電極の使用限度の算出を算出することも可能である。この場合にあっては、所定の間隔で測定する電極の電圧電流特性データを、毎回同一の電圧で行うことで可能となる。また
電極の電圧、電流データの測定間隔は、必ずしも一定である必要はなく、また電極の劣化度測定時の電圧及び電流データを利用してもよいことはもちろんである。
【００３６】
本実施形態の海水電解システム１０においては、６つの電解槽２０ａ〜２０ｆに直列に電気を供給しているので、６つの電解槽全体としての電極の電圧電流特性データを把握することとなる。この場合にあっては、６つの電解槽各々の電極の電圧電流特性データを把握することは困難であるが、個々電解槽に各々電気を供給することで各電解槽の電極の劣化度、使用限度を把握することが可能なことは言うまでもない。本発明の方法により電極の使用限度を算出し、電極が使用限度に達していることが判明すれば、電解槽を分解し電極を取り出し、陽極の表面を再度被覆すればよい。一方、電極が使用限度に達していない場合は、電極を点検するために電解槽を分解する必要がないので、従来の目視観察の方法に比べて手間がかからない。
【００３７】
（実施例１）本発明の電解槽の電極の劣化度測定の結果を実施例に示す。
本実施例では、Ａ〜Ｃまで３系列ある海水電解装置のうち、Ｂ系列及びＣ系列の海水電解装置の電極の劣化度を測定した。Ｂ系列、Ｃ系列とも各々１２個の電解槽を備え、１２個の電解槽の電気回路は直列に接続されていた。図４は、Ｂ系列の海水電解装置の電極の電圧電流特定データを測定した結果を示す図である。また図５はＣ系列の海水電解装置の電極の電圧電流特定データを測定した結果を示す図である。図４及び図５において、縦軸の各槽電圧は、各々１２個の電解槽の電圧を一体として測定後、電解槽の個数で除算し求めた値である。
【００３８】
図４または図５から海水電気分解時の電極の電圧と電流には、直線関係が成立し、稼動日数が増加してもこの傾向は、同じであることが分かった。また各系列の電解槽の電極に流す最大電流を３０００Ａとし、そのときの電圧許容値を６Ｖと設定すると、Ｂ系列の電解槽は、平成１５年１２月３日の時点で電流３０００Ａを流すためには、各電解槽の電極に約６．３Ｖの電圧を加える必要があり、電極（陽極）を補修すべき時期であることが分かる。一方Ｃ系列の電解槽は平成１６年３月３日時点では、電流３０００Ａを流すために必要な電圧は約５．２Ｖであり、補修までには余裕があることが分かる。
【００３９】
図６は図５のＣ系列の電解槽の電圧電流特性測定結果を基に、電極の使用限度を予測した図である。図６の縦軸の電圧は電極に電流３０００Ａ流すときに必要な電圧である。図６から今までと同様の使用方法であれば、電圧許容値を６Ｖとした場合、Ｃ系列の電極は平成５５年程度まで使用可能なことが分かる。
【図面の簡単な説明】
【００４０】
【図１】本発明の実施の一形態としての海水電解装置１０の概略的構成を示す図である。
【図２】本発明の実施の一形態としての海水電解装置１０を構成する一の電解槽２０ａの分解図である。
【図３】本発明の実施の一形態としての海水電解装置１０を構成する一の電解槽２０ａの組立図である。
【図４】本発明の電極の劣化度測定方法を用いて測定したＢ系列の海水電解装置の電極の電圧電流特定結果を示す図である。
【図５】本発明の電極の劣化度測定方法を用いて測定したＣ系列の海水電解装置の電極の電圧電流特定結果を示す図である。
【図６】本発明の電極の劣化度測定方法を用いて測定したＣ系列の海水電解装置の電極の電圧電流特定結果を基に、電極の使用限度を予測した図である。
【図７】従来の技術の海水電解システムの概略的なフローを示す図である。
【符号の説明】
【００４１】
１０        海水電解装置
２０        電解槽
２２、２３  電極
６０        電源供給装置
６１        電圧測定器
６２        電流測定器
７０        データ処理装置
７１        データ記憶部
７２        データ処理部
【図１】
2006249463.tif 000003
【図２】
2006249463.tif 000004
【図３】
2006249463.tif 000005
【図４】
2006249463.tif 000006
【図５】
2006249463.tif 000007
【図６】
2006249463.tif 000008
【図７】
2006249463.tif 000009